(57)【要約】      （修正有）【課題】多様な用途や形態で利用可能で持ち運び性や収納性も高いクッションとクッションカバーを提供する。【解決手段】直線状の線分をなす連接縁部１８Ａにおいて２つの袋体１２を連接するように設けると共に、各袋体の表側生地材１４に所定幅の襠２０を形成して、各袋体にクッション材を詰め込んでクッション材の表面側が裏面側より膨らむようにする。そして、各袋体の連接縁部と反対側の縁部(縫合部１８)において、クッション材を詰め込んだクッション体３２の厚み方向の裏面側に偏った位置に把手部２４を設ける。【選択図】図１
0003221251.tif 000002
【実用新案登録請求の範囲】
【請求項１】
クッション材を詰め込み可能な袋体を有するクッションカバーであって、
直線状の線分をなす連接縁部において２つの前記袋体が連接するよう設けられ、
前記各袋体における少なくとも一方面を形成する袋形成材に所定幅の襠が形成されて、クッション材を詰め込んだ際に各袋体の一方面側が他方面側より膨らむよう構成されると共に、
前記各袋体における前記連設縁部と反対側の縁部側において、クッション材を詰め込んだ際にクッション体の厚み方向の他方面側に偏った位置に把手部が設けられている
ことを特徴とするクッションカバー。
【請求項２】
前記各袋体において前記連設縁部と反対側の縁部の両端に位置するよう前記襠が形成されている請求項１記載のクッションカバー。
【請求項３】
前記各袋体は、前記一方面を形成する袋形成材の四隅に襠を有する矩形状に形成されている請求項１または２記載のクッションカバー。
【請求項４】
請求項１〜３の何れか一項に記載のクッションカバーの各袋体にクッション材を詰め込んだクッションであって、
前記各袋体の一方面側が他方面側より膨らむよう各袋体に対してクッション材を詰め込んでクッション体を形成してなる
ことを特徴とするクッション。
【請求項５】
前記クッション材は、樹脂発泡体である請求項４記載のクッション。
【請求項６】
前記クッション材は、ポリウレタンフォームである請求項４記載のクッション。
【考案の詳細な説明】
【技術分野】
【０００１】
この考案は、袋体内にクッション材を詰め込み可能なクッションカバーおよび袋体内にクッション材を詰め込んだクッションに関するものである。
【背景技術】
【０００２】
従来より、綿や絹などの天然繊維やポリエステルなどの合成繊維、或いは皮革からなる生地材を用いて袋状のクッションカバーを形成し、当該クッションカバーの袋体の中に綿やポリウレタンフォーム(発泡ウレタン)等の弾力性のあるクッション材を詰め込んだクッションが広く知られている。このようなクッションの多くは枕状や座布団状などの形態に形成されており、臀部や背中或いは頭部などの身体部位に合わせて弾性的に変形することで体圧を分散させて、使用者に心地よい感触を与えるようになっている。また、特許文献１のように、２つのクッション体を繋げるようにしてクッションを形成することで、折り畳んだ状態とＬ字状に開いた状態とで利用可能にしたものも提案されている。
【先行技術文献】
【特許文献】
【０００３】
【特許文献１】実用新案登録第３１４８７６７号公報
【考案の概要】
【考案が解決しようとする課題】
【０００４】
ところで、従来のクッションはその収納性が考慮されたものとはなっておらず、クッションを使用していないときにも室内の床面などにそのまま置いた状態で放置されることが一般的である。このため、クッションにより室内の用途が却って制限されたり、また掃除などのような場合には床面などに置かれたクッションが作業の邪魔になる難点があった。またクッションのクッション性を高めたり、多様な用途や形態で使用可能にするなど多機能化するとクッション自体が大型化することから、このような問題がより一層顕著になるばかりでなく、異なる場所で使用する場合などの持ち運びに不便になる難点がある。特にクッションが大型化すると、女性や高齢者などのように筋力に乏しい使用者が持ち運ぶ際に抱き抱えるようにすることがあり、このような形態で持ち運ぶことで足元の視認性が低下することに繋がることから、不使用時にそのまま置いた状態で放置されることにもなっていた。
【０００５】
すなわち本考案は、多様な用途や形態で利用可能にしつつ持ち運び性や収納性を高めたクッションを形成可能なクッションカバーおよびそのクッションを提供することを目的とする。
【課題を解決するための手段】
【０００６】
前記課題を克服し、所期の目的を達成するため、本願の請求項１に係る考案のクッションカバーは、
クッション材を詰め込み可能な袋体を有するクッションカバーであって、
直線状の線分をなす連接縁部において２つの前記袋体が連接するよう設けられ、
前記各袋体における少なくとも一方面を形成する袋形成材に所定幅の襠が形成されて、クッション材を詰め込んだ際に各袋体の一方面側が他方面側より膨らむよう構成されると共に、
前記各袋体における連設した袋体と反対側の縁部側において、クッション材を詰め込んだ際にクッション体の厚み方向の他方面側に偏った位置に把手部が設けられていることを要旨とする。
このように、２つの袋体を連接するよう設けたことで、各袋体にクッション材を詰め込んで形成される両クッション体を床面などに置いた長座布団状のクッション形態や、片方のクッション体を壁などに凭れかけさせてＬ字状に折り曲げた座椅子状のクッション形態などとして利用することができ、多機能なクッションを形成することができる。また、袋体における一方面を形成する袋形成材に所定幅の襠を形成することで、クッション材を詰め込んだ際にクッション体を嵩高くしてそのクッション性を高めることができる。また、各袋体を連設する連接縁部と反対側の縁部に位置するよう把手部を設けることで持ち運びが容易になると共に、壁などに設けたフックに把手部を引っ掛けて吊り下げることができ、収納性に優れたものとなる。更にクッション材を詰め込んで形成されるクッション体の厚みの他方面側に偏った位置に把手部を設けることで、吊り下げて収納した際の反発を抑制することができる。
【０００７】
請求項２に係る考案のクッションカバーは、
前記各袋体において前記連設縁部と反対側の縁部の両端に位置するよう前記襠が形成されていることを要旨とする。
このように、各袋体において連設縁部と反対側の縁部の両端に位置するよう襠を形成することで、クッション体の一方面側を効果的に嵩高くしてクッション性を高めることができる。
【０００８】
請求項３に係る考案のクッションカバーは、
前記各袋体は、前記一方面を形成する袋形成材の四隅に襠を有する矩形状に形成されていることを要旨とする。
このように、四隅に襠を設けて矩形状にすることで、屈曲状にした２つのクッション体を屏風状に立てたクッション形態として利用することが可能になり、より多機能なクッションとすることができる。
【０００９】
請求項４に係る考案のクッションは、
請求項１〜３の何れか一項に記載のクッションカバーの各袋体にクッション材を詰め込んだクッションであって、
前記各袋体の一方面側が他方面側より膨らむよう各袋体に対してクッション材を詰め込んでクッション体を形成してなることを要旨とする。
このように、連接する２つの袋体にクッション材を詰め込んで形成される両クッション体を床面などに置いた長座布団状のクッション形態や、片方のクッション体を壁面などに凭れかけさせてＬ字状にした座椅子状のクッション形態などとして多機能に利用することができる。また、袋体における一方面を形成する袋形成材に所定幅の襠を形成することで、クッション材を詰め込んだ際にクッション体を嵩高くしてそのクッション性を高めることができる。また、各袋体を連設する連接縁部と反対側に位置するよう把手部を設けることで持ち運びが容易になると共に、壁面などに設けたフックに把手部を引っ掛けて吊り下げることができ、収納性に優れたものとなる。更にクッション体の厚みの他方面側に偏った位置に把手部を設けることで、吊り下げて収納した際の反発を抑制することができる。
また、各袋体において連設縁部と反対側の縁部の両端に位置するよう襠を形成することで、クッション体の一方面側を効果的に嵩高くしてクッション性を高めることができる。
更に、四隅に襠を設けて矩形状にすることで、屈曲状にした２つのクッション体を屏風状に立てたクッション形態として利用することが可能になり、より多機能化を図り得る。
【００１０】
また、請求項５に係る考案のクッションは、
前記クッション材は、発泡体であることを要旨とする。
また、請求項６に係る考案のクッションは、
前記クッション材は、ポリウレタンフォームであることを要旨とする。
このように、クッション材として発泡体やポリウレタンフォーム用いることで、クッション性を高めると共にクッションの軽量化を図ることができる。
【考案の効果】
【００１１】
本考案に係るにクッションカバーおよびクッションよれば、多様な用途や形態で利用可能にしつつ優れた持ち運び性や収納性を実現することができる。
【図面の簡単な説明】
【００１２】
【図１】本考案に係るクッションカバーにクッション材を詰め込んだクッションを概略で示す斜視図である。
【図２】クッションカバーにおけるクッション材の詰め込み用の開口の形成位置を拡大して概略で示す斜視図である。
【図３】クッションを吊り下げた状態を概略で示す説明図であって、クッションの一部を破断して示す。
【図４】クッションを座椅子状の使用形態にして概略で示す説明図である。
【図５】クッション体の裏面側を重ねて持ち運ぶ様子を概略で示す説明図である。
【考案を実施するための形態】
【００１３】
次に、本発明に係るクッションカバーおよびクッションにつき、好適な実施例を挙げて、添付図面を参照して以下に説明する。
【実施例】
【００１４】
図１に示すように、実施例に係るクッションカバー１０は２つの連設した袋体１２を備えており、各袋体１２にクッション材２６を詰め込むことにより一方面側が他方面側より膨らんだ２つのクッション体３２が連接したクッション３０をなすものである。ここで、以下の説明では、便宜的に２つのクッション体３２が並ぶように床面ＦＬなどに置いた状態を基準に、膨らみの大きな面側(一方面側)を表側とし、膨らみの小さな面側(他方面側)を裏側とし、クッション体３２が並ぶ方向を長手方向とするものとする。
【００１５】
このクッションカバー１０は、横長の略矩形状に形成された表側生地材(袋形成材)１４および裏側生地材(袋形成材)１６の外周縁部を縫合すると共に両生地材１４,１６の長手方向の中間位置を縫合することにより、中間の縫合部１８を連接縁部１８Ａとして２つの袋体１２が連接するように備えたものである。この連接縁部１８Ａは、各生地材１４,１６の幅方向(クッション３０の幅方向)に直線的に延在するように縫合して形成されており、連接縁部１８Ａを中心にして２つの袋体１２を折り重ね得るようになっている。すなわち、２つの袋体１２は連接縁部１８Ａを中心とした線対称状に形成されている。このように、この実施形態では、生地材１４,１６を縫合してなる縫合部１８の一部が連接縁部１８Ａ上に位置している。ここで、実施例のクッションカバー１０は、各袋体１２における連接縁部１８Ａと反対側に位置する縁部(縫合部１８)の一部が開口するよう縫合されており、当該開口２２を介して各袋体１２の中に個別にクッション材２６を詰め込み得るようになっている。この例では、各袋体１２の幅方向の中間位置が開口するよう設けてあるが、当該クッション材２６の詰め込み用の開口２２の形成位置や開口幅は任意の位置および大きさで形成することができる。なお、表側生地材１４および裏側生地材１６の素材は特に限定されるものではなく、天然繊維や合成繊維、皮革等のように従来公知の生地材を利用することができる。また、表側生地材１４および裏側生地材１６は同じ素材であっても異なる素材であってもよい。
【００１６】
ここで、表側生地材１４には所定幅の襠２０が形成されて、各袋体１２にクッション材２６を詰め込んだ際に表側が裏側より膨らむようにしてある。襠２０の形成方法は特に限られるものではないが、例えば略矩形状に形成した表側生地材１４の角部を切り欠いて形成される切欠縁部を縫合することにより形成される。また、表側生地材１４には、各袋体１２の連接縁部１８Ａの両端部と、各袋体１２において連接縁部１８Ａと反対側に位置する縁部の縫合部１８の両端部とに位置するよう襠２０が設けられている。すなわち、矩形状をなす各袋体１２の夫々の四隅に襠２０が位置するよう形成してある。この襠２０は任意の長さの幅で形成することができるが、クッション材２６を詰め込んだクッション体３２を床面ＦＬに寝かせた状態の厚み(高さ)の１／４以上の幅となるよう形成することが好ましく、厚みが１０ｃｍの場合に５ｃｍ以上の幅とすることがより好適である。このような幅で襠２０を形成することで、表側の膨らみを確保してクッション性を高め得ると共に、屈曲状にした２つのクッション体３２を屏風状に立てたクッション形態とした際の姿勢の安定性に優れたものとなる。
【００１７】
また、図１、図３、図４、図５に示すように、各袋体１２には、連接縁部１８Ａと反対側に位置するよう把手部２４が設けられている。この把手部２４は、各袋体１２における表側生地材１４と裏側生地材１６との縫合部１８に位置しており、各袋体１２にクッション材２６を詰め込んで形成されるクッション体３２の厚み方向の裏面側に偏った位置に把手部２４が位置するようになっている。また、各把手部２４は、対応する袋体１２に対して連接縁部１８Ａと反対側の縁部の中間位置に設けられており、連接縁部１８Ａにおいて２つの袋体１２をその裏面側が向き合うように折り重ねた際に、各袋体１２の把手部２４がクッション体３２の厚み方向に重なって位置するようになっている。この例では、帯状に形成した把手部２４の一方端をクッション材２６の詰め込み用の開口２２の一端側に縫合すると共に、当該把手部２４の他方端を当該開口２２の他端側に縫合してある。なお、把手部２４の素材や形状は特に限定されるものでは、表側生地材１４および裏側生地材１６と同様に天然繊維や合成繊維、皮革等のように従来公知の生地材を利用することができる。
【００１８】
そして、実施例のクッション３０は、前述したクッションカバー１０の各袋体１２に対して詰め込み用の開口２２を介して各袋体１２にクッション材２６を詰め込んでクッション体３２を形成してなるものである。この詰め込み用の開口２２は、クッション材２６を詰め込んだ後に縫合により塞ぐよう構成されている。なお詰め込み用の開口２２を縫合する構成に限らず、例えば当該詰め込み用の開口２２にスライドファスナーを取り付けて、当該開口２２を任意に開閉し得るようにしてもよい。ここで、クッション材２６としては、綿等の天然素材や、ポリウレタンフォーム、ポリスチレンフォーム、ポリプロピレンフォーム、ポリエチレンフォーム等の弾性を有する各種樹脂発泡体、合成樹脂やゴム等により径方向に弾性変形可能な中空パイプ、その他クッション材２６として従来公知の各種素材を用いることができる。また、発泡ビーズと称される軟質スチレン系樹脂、ポリエチレン系樹脂、ポリプロピレン系樹脂等の発泡樹脂粒子をクッション材２６として用いることも可能である。そして樹脂発泡体、特にはポリウレタンフォームをクッション材２６とすることで、クッション性を高めると共にクッション３０の軽量化に効果的である。また、ポリウレタンフォーム等の樹脂発泡体は、数ｍｍ〜１０ｍｍ程度の大きさのチップ状のものを用いることで、使用者の接触身体部位に合わせてクッション３０が変形しやすくより好適である。
【００１９】
このように、クッションカバー１０に直線状の線分をなす連接縁部１８Ａを介して２つの袋体１２を連接するよう設けてあるから、各袋体１２にクッション材２６を詰め込んで形成されるクッション３０において両クッション体３２を床面ＦＬなどに置いた長座布団状のクッション形態(図１参照)や、片方のクッション体３２を壁面ＷＬなどに凭れかけさせてＬ字状に折り曲げた座椅子状のクッション形態(図４参照)などとして利用することができ、多様な用途や形態で利用可能な多機能なクッション３０とすることができる。また、袋体１２の表側生地材１４に襠２０を形成することで、クッション材２６を詰め込んだ際にクッション体３２の表面側を嵩高くすることができ、そのクッション性を高めることができる。特に、各袋体１２において連設縁部１８Ａと反対側の縫合部１８の両端に位置するよう襠２０を形成することで、クッション体３２の表面側を効果的に嵩高くしてクッション性を高めることができる利点がある。また、クッション体３２の表面側を嵩高くすることで、Ｌ字状に屈曲させた際のクッション３０同士の反発を利用してクッション体３２を壁面ＷＬ側に付勢することができるから、壁面ＷＬなどに凭れかけさせたクッション体３２が使用者側に倒れ込む(座屈する)のを防止でき、快適な使用感を保つことができる。
【００２０】
更に、各袋体１２の表側生地材１４の四隅に襠２０を設けて各クッション体３２が矩形状をなすようにしたことで、室内の隅などに置いて屈曲状にした２つのクッション体３２の夫々を壁面ＷＬなどに凭れかけさせるように屏風状に立てたクッション形態としても利用することが可能になり、より多機能なクッション３０とすることができる。
【００２１】
また、各袋体１２を連設する連接縁部１８Ａと反対側に位置するよう把手部２４を設けることで、クッション３０を容易に持ち運ぶこと可能となる。更に、クッション体３２の膨らみの小さい裏面側を向き合うように折り重ねた状態で両把手部２４を一度に持つことができるから、二つ折りにしてコンパクトにした状態で持ち運ぶことができる。また、クッション３０を抱き抱えるようにする必要がないから、持ち運びに際してクッション３０により足元の視認性を阻害されるのを防止できる。また、膨らみの小さい裏面側を向き合うように折り重ねることで、クッション体３２同士の反発が抑制され、筋力に乏しい使用者などであっても容易に持ち運ぶことができる。
【００２２】
更に、クッション３０を使用しない状況では、例えば図３に示すように壁面ＷＬに設けたフック５０などにクッション３０の把手部２４を引っ掛けて吊り下げて収納することができるから、優れた収納性を実現できる。また、クッション体３２の厚みに対して裏面側に偏って把手部２４が位置することで、クッション体３２の膨らみの小さい裏面側を壁面ＷＬ側に向けた状態で吊り下げることで、長座布団状のクッション形態と略同様の形態を保ったまま収納することができ、クッション３０の型崩れを防止できる。また、クッション体３２の厚みの中央に把手部２４を設けるようにすると、クッション３０を吊り下げて収納した際に壁面ＷＬに接触したクッション体３２の反発によって把手部２４に大きな負荷が掛かり、クッション体３２の破れや把手部２４の断裂などを引き起こすことに繋がりかねない。これに対して、クッション体３２の厚みに対して裏面側に偏って把手部２４を位置させることで、クッション性を損なうことなく吊り下げて収納した際の反発を抑制することができる利点がある。
【００２３】
(変更例)
前述した実施例に限定されず、例えば以下のように変更することができる。
(１)  実施例では、クッションカバー１０の袋体１２を矩形状に形成したが、これに限られるものではなく、例えば２つの袋体１２の全体で円形状や楕円形状をなすように外周を円弧状や曲線状に形成するようにしてもよく、その他の適宜の形状とすることができる。また、２つの袋体１２を異なる形状・大きさに形成してもよい。そして、袋体の外周縁を円弧状や曲線状のように形成する場合には、当該袋体の外周縁に襠を設けることで、クッション材を詰め込んだ際にクッション体を嵩高くしてそのクッション性を高めることができる。
(２)  実施例では、表側生地材１４にのみ襠２０を形成したが、表側生地材１４および裏側生地材１６の両方に襠２０を形成するようにしてもよい。両方に襠２０を形成する場合には、表側生地材１４の襠２０の幅を裏側生地材１６の襠２０の幅よりも大きくして、クッション体３２の厚みに対して裏面側に偏って把手部２４を位置するよう構成することが好ましい。
【符号の説明】
【００２４】
１０  クッションカバー，１２  袋体，１４  表側生地材(一方面を形成する袋形成材)
１６  裏側生地材(他方面を形成する袋形成材)，１８  縫合部，１８Ａ  連接縁部
２０  襠，２２  開口，２４  把手部，２６  クッション材，３０  クッション
３２  クッション体，５０  フック
【図１】
0003221251.tif 000003
【図２】
0003221251.tif 000004
【図３】
0003221251.tif 000005
【図４】
0003221251.tif 000006
【図５】
0003221251.tif 000007